(57)【要約】【課題】対象物の底部に内容物を排出させるための穴を簡単にあけることができるとともに、排出された内容物の飛散を防止できる治具を実現する。【解決手段】対象物（２）中の内容物を排出させるための内容物抜き治具（１）であって、対象物（２）の底部（２１）を少なくとも収容可能で、かつ、液体を貯留可能である受け容器（１１）と、受け容器（１１）の底面から上方に向かって突出する突起部（１２）と、を備える。【選択図】図１
0003213903.tif 000002
【実用新案登録請求の範囲】
【請求項１】
対象物中の内容物を排出させるための内容物抜き治具であって、
前記対象物の底部を少なくとも収容可能で、かつ、液体を貯留可能である受け容器と、
前記受け容器の底面から上方に向かって突出する突起部と、
を備える内容物抜き治具。
【請求項２】
前記対象物の底部に対応する位置に前記突起部を複数備える請求項１に記載の内容物抜き治具。
【請求項３】
前記受け容器に収容した前記対象物を、前記突起部が前記対象物の底部に接しかつ貫通しない第一位置と、前記突起部が前記対象物の底部を貫通する第二位置と、の間で上下動可能であって、
前記対象物を前記受け容器の底面から上方に向かって前記第一位置に付勢する付勢機構を備える請求項１または２に記載の内容物抜き治具。
【請求項４】
前記突起部に対応する位置に貫通穴が設けられ、前記対象物を載置可能な板状部を有する案内部材を備え、
前記案内部材は、前記突起部が前記貫通穴を貫通しない第一位置と、前記突起部が前記貫通穴を貫通する第二位置と、の間で上下動可能であり、
前記案内部材を前記第一位置に付勢する付勢機構を備える請求項１または２に記載の内容物抜き治具。
【請求項５】
前記対象物の底部を前記突起部の上方に案内する側壁部を備える請求項１〜４のいずれか１項に記載の内容物抜き治具。
【請求項６】
前記案内部材が、前記対象物の底部を前記突起部の上方に案内する側壁部を有する請求項４に記載の内容物抜き治具。
【請求項７】
前記対象物の底部における接地部を前記突起部に対応する位置に導く位置決め部を備える請求項１〜６のいずれか１項に記載の内容物抜き治具。
【請求項８】
前記案内部材が、前記対象物の底部における接地部を前記突起部に対応する位置に導く位置決め部を有する請求項４または６に記載の内容物抜き治具。
【考案の詳細な説明】
【技術分野】
【０００１】
本考案は、対象物中の内容物を排出させるための内容物抜き治具に関する。
【背景技術】
【０００２】
容器入り飲料などの容器に内容物を充填した製品の製造工程において、内容物が充填された容器について、容器口部とキャップとの間に付着物があるか否かについての検査を行う場合がある。その場合、容器を検査に供するため内容物を排出する必要があるが、口部を経由して内容物を排出すると、製造工程での付着物と内容物排出時の付着物とを区別できないため、口部を経由せずに内容物を排出する必要がある。特に、炭酸飲料の場合には、口部を開放する際に飲料が勢いよく発泡し、口部から飲料があふれ出す場合がある。したがって、口部周辺を対象とする検査工程においては、容器の口部以外の箇所に排出口をあけ、そこから内容物を排出する必要がある。このように内容物を抜く作業は、従来、検査員がひとつひとつの容器の底部に針などの工具を用いて手作業で穴をあけることにより行われてきた。
【０００３】
しかし、検査員が手作業によりひとつひとつの容器に穴をあける作業は手間がかかる。多数の容器を検査する必要があることから、作業効率を向上するため、穴をあける作業は簡単に行えるものであることが求められる。また、容器底部が曲面状の形状である場合には、工具の先端が滑りやすいため、誤操作により作業員が負傷するおそれがある。加えて、特に内容物が炭酸飲料の場合は、容器の底部が硬いために穴をあける作業に時間がかかってしまうことに加え、穴をあけた際に容器内の飲料が勢いよく噴出し、作業場所や作業員に飛散するおそれもある。
【０００４】
容器に穴をあけるための一般的な器具として、例えば、特開平８−１９８３９１号公報（特許文献１）には、スプレー缶の底部を押し当てることによりスプレー缶の底部に穴をあけることができる器具が開示されている。この器具によれば、片手作業により効率的にかつ安全にスプレー缶の底部に穴をあけることができ、作業にかかる時間を短縮できる。
【０００５】
また、例えば、特開２００９−２７４１７５号公報（特許文献２）には、密閉された装置内において、横倒しにして保持したスプレー缶の側面に対して穿孔ピンを突き刺して穴をあけ、当該穴から排出される内容物を、穿孔ピンの下方に設けられた液体回収部に回収する装置が開示されている。当該装置により、スプレー缶の下方にあけた穴から排出される内容物を液体回収部に回収できるため、内容物の周囲への飛散を回避できる。
【先行技術文献】
【特許文献】
【０００６】
【特許文献１】特開平８−１９８３９１号公報
【特許文献２】特開２００９−２７４１７５号公報
【考案の概要】
【考案が解決しようとする課題】
【０００７】
しかし、特許文献１に開示された器具は、排出される内容物の飛散については考慮されておらず、噴出する内容物の飛散を防止する観点より、上述の検査に用いるには不十分である。
また、特許文献２に開示された装置においても、スプレー缶を横倒しにしている間に、容器の口部に内容物が付着するおそれがあり、当該検査に用いるには不適切である。また、当該装置は、密閉された装置内において処理を行うためにモータなどの自動化のための機構を備えており、装置が大がかりとなっている。そのため、検査を簡単に行うためには改善の余地がある。
【０００８】
上記に鑑み、対象物の底部に、内容物を排出させるための穴を安全かつ簡単にあけることができるとともに、排出された内容物の飛散を効果的に抑制できる治具の実現が望まれる。
【課題を解決するための手段】
【０００９】
本考案は、対象物中の内容物を排出させるための内容物抜き治具であって、前記対象物の底部を少なくとも収容可能で、かつ、液体を貯留可能である受け容器と、前記受け容器の底面から上方に向かって突出する突起部と、を備える。
【００１０】
本考案によれば、内容物を抜く対象物を内容物抜き治具に載置し、対象物を突起部に向けて付勢するだけの簡単な操作により、対象物の底部に穴をあけて内容物を排出することができる。またこのとき、受け容器に水などの液体を貯留した状態で上記の操作を行えば、内容物が受け容器に貯留した液体の中に排出されるため、作業場所や作業者に内容物が飛散することを効果的に抑制できる。
【００１１】
以下、本考案の好適な態様について説明する。ただし、以下に記載する好適な態様の例によって、本考案の範囲が限定される訳ではない。
【００１２】
本考案に係る好ましい態様の一つは、前記受け容器の底面上の、前記対象物の底部に対応する位置に、前記突起部を複数備える。
【００１３】
この態様によれば、例えばペタロイド形状の容器のように、対象物の底部が複雑な凹凸形状を有する場合においても、複数の突起部のうちの少なくとも１つを対象物の底部に貫入させればよいため、位置合わせを精密に行わなくともよく、位置合わせに要する時間を短縮できる。
【００１４】
本考案に係る好ましい態様の一つは、前記受け容器に収容した前記対象物を、前記突起部が前記対象物の底部に接しかつ貫通しない第一位置と、前記突起部が前記対象物の底部を貫通する第二位置と、の間で上下動可能であって、前記対象物を前記受け容器の底面から上方に向かって前記第一位置に付勢する付勢機構を備える。
【００１５】
この態様によれば、付勢機構が対象物を第二位置から第一位置に付勢する結果、対象物が当該治具から脱離する方向に付勢されるため、内容物抜き操作後の脱離作業が容易になる。
【００１６】
本考案に係る好ましい態様の一つにおいては、前記突起部に対応する位置に貫通穴が設けられ、前記対象物を載置可能な板状部を有する案内部材を備え、前記案内部材は、前記突起部が前記貫通穴を貫通しない第一位置と、前記突起部が前記貫通穴を貫通する第二位置と、の間で上下動可能であり、前記付勢機構は前記案内部材を前記第一位置に付勢する。
【００１７】
この態様によれば、第一位置において突起部が貫通穴を貫通しないため、対象物を載置する際の位置決め操作において突起部が邪魔にならない。また、付勢機構が案内部材を第二位置から第一位置に付勢する結果、対象物が当該治具から脱離する方向に付勢されるため、内容物抜き操作後の脱離作業が容易になる。
【００１８】
本考案に係る好ましい態様の一つは、前記対象物の底部を前記突起部の上方に案内する側壁部を備える。
【００１９】
この態様によれば、対象物の位置決め操作が容易になる。
【００２０】
本考案に係る好ましい態様の一つは、前記案内部材が、前記対象物の底部を前記突起部の上方に案内する側壁部を有する。
【００２１】
この態様によれば、対象物の位置決め操作が容易になるとともに、部品点数を減らすことができる。
【００２２】
本考案に係る好ましい態様の一つは、前記対象物の底部における接地部を前記突起部に対応する位置に導く位置決め部を備える。
【００２３】
この態様によれば、例えばペタロイド形状の容器のように、対象物の底部が複雑な凹凸形状であり接地部が点在する場合においても、対象物の底部における接地部を突起部に対応する位置に簡単に導くことができる。
【００２４】
本考案に係る好ましい態様の一つは、前記案内部材が、前記対象物の底部における接地部を前記突起部に対応する位置に導く位置決め部を有する。
【００２５】
この態様によれば、対象部の底部が複雑な形状であっても、対象物の底部における接地部を突起部に対応する位置に簡単に導くことができるとともに、部品点数を減らすことができる。
【図面の簡単な説明】
【００２６】
【図１】第一の実施形態の内容物抜き治具の斜視図。
【図２】第一の実施形態の内容物抜き治具に対象物を載置した状態の断面図。
【図３】第一の実施形態の内容物抜き治具に載置した対象物を突起部に向けて付勢した状態の断面図。
【図４】第二の実施形態の内容物抜き治具に対象物を載置した状態の断面図。
【図５】第三の実施形態の内容物抜き治具の斜視図。
【図６】第三の実施形態の内容物抜き治具に対象物を載置した状態の断面図。
【考案を実施するための形態】
【００２７】
〔第一の実施形態〕
以下に、本考案に係る内容物抜き治具の第一の実施形態について、図面を用いて説明する。本実施形態の内容物抜き治具１は、炭酸飲料を充填したペットボトル２を対象物として、炭酸飲料を排出させるためのものである。
炭酸飲料を充填するためのペットボトル２の底部２１は、接地部２２が点在する複雑な凹凸形状（いわゆるペタロイド形状）となっている。また、底部２１は、炭酸ガスによる内圧上昇に耐えるため、分厚く形成されている。このように底部２１は、複雑な凹凸形状であり、かつ、分厚く形成されているため、ペットボトル２の底部２１は穴をあけにくい構造になっている。
本実施形態の内容物抜き治具１は、このようなペットボトル２に穴をあけるのに適したものとなっている。以下、本実施形態の内容物抜き治具１について説明する。
【００２８】
図１、図２に示すように、本考案に係る内容物抜き治具１は、ペットボトル２の底部２１を少なくとも収容可能で、かつ、液体を貯留可能である受け容器１１、受け容器１１の底面から上方に向かって突出する突起部１２、ペットボトル２を載置するためのかご状部材１３、および、かご状部材１３を後述する第一位置に付勢するばね１４、を備える。
【００２９】
受け容器１１は、開口面積がペットボトル２の底面の面積よりも大きい有底筒状の容器であり、水などの液体を貯留した状態でペットボトル２の底部２１を収容できる。これにより、ペットボトル２の底部２１にあけた穴から炭酸飲料を排出するときに、受け容器１１に貯留した液体の中に炭酸飲料を排出することができるため、炭酸飲料の飛散を効果的に抑制できる。
【００３０】
突起部１２は、先端が尖った棒状に形成されており、分厚い底部２１に貫入しやすくしてある。この構造により、ペットボトル２に穴をあける操作に必要な力を小さくすることができるようになっている。また、突起部１２は、内容物抜き治具１にペットボトル２を載置したときの、ペットボトル２の底部２１に対応する位置に複数設けられている。これにより、ペットボトル２のように底部２１が複雑な形状であっても、複数の突起部１２のうちの少なくとも１つをペットボトル２の底部２１に貫入させればよいため、ペットボトル２を内容物抜き治具１に載置するにあたって位置合わせを精密に行わなくともよく、位置合わせに要する時間を短縮できる。なお、突起部１２は、ペットボトル２の接地部２２に対応する位置に設けられていることが好ましい。
【００３１】
かご状部材１３は、突起部１２に対応する位置に貫通穴１３２を有する板状部１３１と、ペットボトル２の底部２１を突起部１２の上方に案内する側壁部１３３と、を有する。側壁部１３３は格子状としてあるため、受け容器１１に液体を貯留すると当該液体はかご状部材１３の内部に進入し、かご状部材１３の内部も当該液体で満たされるようになっている。また、かご状部材１３は、突起部１２が貫通穴１３２を貫通しない第一位置（図２）と、突起部１２が貫通穴１３２を貫通する第二位置（図３）と、の間で上下動可能であり、ばね１４により第一位置に付勢されている。なお、必要最小限の動作で済むように、第一位置は、突起部１２の先端が貫通穴１３２内に入り込む位置としてある。
【００３２】
〔内容物抜き治具を用いた内容物抜き操作〕
次に、本実施形態の内容物抜き治具１を用いて、ペットボトル２から炭酸飲料を抜く操作手順の一例について説明する。
【００３３】
まず、受け容器１１に水を貯留する。このとき水の量は、ペットボトル２の底部２１の全体が水に浸かる量とする。こうすることで、炭酸飲料の飛散を抑制できる。
次に、ペットボトル２を内容物抜き治具１に載置する（図２）。このとき、必要に応じて、載置したペットボトル２を回転させ、突起部１２が接地部２２に対応する位置になるように位置合わせを行う。なお、当該載置操作のときかご状部材１３は第一位置にあり、突起部１２が貫通穴１３２から突出していないため、ペットボトル２をかご状部材１３の内部で回転させるときに突起部１２が邪魔にならない。また、側壁部１３３に沿ってペットボトル２を載置することで、ペットボトル２の底部２１が突起部１２の上方に案内されるので、水平方向の位置合わせを行う必要もない。
【００３４】
ペットボトル２を内容物抜き治具１に載置したあと、ペットボトル２を突起部１２に向けて付勢すると（図３）、ペットボトル２のいずれかの接地部２２にいずれかの突起部１２が貫入し、接地部２２に穴をあけることができる。これにより、接地部２２にあけた穴から炭酸飲料を排出できる。このとき、炭酸飲料は受け容器１１に貯留した水の中に排出されるので、その飛散が抑制される。そして、接地部２２に穴をあけたのちペットボトル２の付勢を解除すると、ばね１４によりかご状部材１３が第二位置から第一位置に付勢されて、ペットボトル２が内容物抜き治具１から脱離する方向に付勢される。これにより、ペットボトル２を内容物抜き治具１から容易に脱離できる。
【００３５】
以上のように、本実施形態の内容物抜き治具１によれば、ペットボトル２の底部２１に炭酸飲料を排出させるための穴を安全かつ簡単にあけることができるとともに、排出された炭酸飲料の飛散を効果的に抑制できる。
【００３６】
〔第二の実施形態〕
本考案に係る内容物抜き治具の第二の実施形態について、図４を参照して説明する。本実施形態の内容物抜き治具１´は、第一の実施形態の内容物抜き治具１に対して、さらに、ペットボトル２の接地部２２を突起部１２に対応する位置に導く位置決め部１５を備える。本実施形態では、位置決め部１５は板状部１３１上に設けられ、ペットボトル２の底部２１の凹凸形状と嵌合する凹凸形状を有する。
【００３７】
本実施形態では、ペットボトル２を内容物抜き治具１に載置する際に、ペットボトル２の底部２１の凹凸形状と、位置決め部１５の凹凸形状と、が嵌合することで、ペットボトル２の接地部２２が、突起部１２に対応する位置に自ずから導かれる。このため、ペットボトル２を内容物抜き治具１に載置する際の位置合わせに要する時間を、さらに短縮できる。
【００３８】
〔第三の実施形態〕
本考案に係る内容物抜き治具の第三の実施形態について、図５、図６を参照して説明する。本実施形態の内容物抜き治具１´´は、付勢機構として、かご状部材１３を付勢するばね１４の替わりに、ペットボトル２を付勢するばね１４´´を備える。本実施形態では、ペットボトル２は、突起部１２がペットボトル２の底部２１に接しかつ貫通しない第一位置と、突起部１２がペットボトル２の底部を貫通する第二位置と、の間で上下動可能であり、受け容器１１の底面から上方に向かってばね１４´´により第一位置に付勢されている。
【００３９】
〔その他の実施形態〕
最後に、本考案に係る内容物抜き治具の、その他の実施形態について説明する。なお、以下のそれぞれの実施形態で開示される構成は、矛盾が生じない限り、他の実施形態で開示される構成と組み合わせて適用することも可能である。
【００４０】
上記の実施形態では、対象物がペットボトル２である例を説明した。しかし、対象物は、内容物を排出する操作の対象となる容器であれば特に限定されず、例えば、缶や紙容器などであってよい。また、内容物は、突起部１２の貫入により排出されるものであれば特に限定されず、液体または気体であればよく、例えば、飲料、液体調味料、化粧品、液状の薬品、エアロゾル状の薬品、不活性ガス、などが挙げられる。また、対象物の底部はペタロイド形状などの凹凸形状でなくとも、一般的な容器の底面形状であれば特に限定されず、例えば、平面であってよく、球面の一部であってよい。
【００４１】
上記の実施形態では、１つのペットボトル２のみを収容可能である受け容器１１を備える例を説明した。しかし、複数の対象物を同時に収容可能である受け容器を備えていてもよい。
【００４２】
上記の実施形態では、受け容器１１に水を貯留した状態で操作を行う例を説明した。しかし、貯留する液体は、内容物の飛散を効果的に抑制できる液体であれば特に限定されず、その他の液体であってよい。
【００４３】
上記の実施形態では、先端が尖った棒状の突起部１２を備える例を説明したが、突起部１２の構造は、対象物に穴をあけることができる形状であれば特に限定されない。例えば、突起部の表面が平滑である場合、内容物に含まれる果実由来の微細な繊維状物質の詰まりを軽減することができる。また例えば、突起部の表面にネジ上の溝が刻まれている場合、対象物との間に隙間ができるため、内容物の抜き取り時間の短縮が期待される。また、上記の実施形態では、ペットボトル２の底部２１に対応する位置に突起部１２を複数備える構成を例として説明したが、対象物の底部に対応する位置に限らず受け容器の底部全面にわたって多数の突起を備えるように構成してもよいし、あるいは、一つの突起部のみを備えるものであってもよい。
【００４４】
上記の実施形態では、付勢機構としてばね１４を備える例を説明した。しかし、付勢機構の部材としては、ばねに限定されず、公知の弾性部材であってよい。
【００４５】
上記の実施形態では、板状部１３１と側壁部１３３とを、両者を含むかご状部材１３として構成する例を説明した。しかし、両者をそれぞれ独立した部材として構成してもよく、例えば、受け容器に固設された側壁部の内側を、板状部を有する案内部材が独立して上下動するものであってもよい。また、かご状部材を設けなくてもよいし、板状部と側壁部とのいずれか一方のみを設けてもよい。
【００４６】
その他の構成に関しても、本明細書において開示された実施形態は全ての点で例示であって、本考案の範囲はそれらによって限定されることはないと理解されるべきである。当業者であれば、本考案の趣旨を逸脱しない範囲で、適宜改変が可能であることを容易に理解できるであろう。したがって、本考案の趣旨を逸脱しない範囲で改変された別の実施形態も、当然、本考案の範囲に含まれる。
【産業上の利用可能性】
【００４７】
本考案は、例えば、充填済の飲料製品について容器口部とキャップとの間に付着物があるか否かを検査するために、口部を経由せずに内容物を抜き取る工程に利用することができる。本考案に係る内容物抜き治具を用いて対象物の内容物を抜き取ると、対象物の底部に内容物を排出させるための穴を安全かつ簡単にあけることができるとともに、排出された内容物の飛散を効果的に抑制できる。
【符号の説明】
【００４８】
１        内容物抜き治具
１１      受け容器
１２      突起部
１３      かご状部材
１３１    板状部
１３２    貫通穴
１３３    側壁部
１４      ばね
１５      位置決め部
２        ペットボトル
２１      ペットボトル２の底部
２２      ペットボトル２の接地部
【図１】
0003213903.tif 000003
【図２】
0003213903.tif 000004
【図３】
0003213903.tif 000005
【図４】
0003213903.tif 000006
【図５】
0003213903.tif 000007
【図６】
0003213903.tif 000008